(57)【要約】【課題】クランパーを保持する構成において製造コストを削減した光ディスク装置を提供することである。【解決手段】光ディスク装置は、光ディスクが載置されるターンテーブル２７と、ターンテーブル２７とによって光ディスクを回転可能に挟持するクランパー２３と、クランパー２３のターンテーブル２７とは反対側の面をクランパー２３に対向する一端付近で押さえるクランプスプリング２５と、クランプスプリング２５が取り付けられるクランププレート２４と、クランプスプリング２５とクランププレート２４とが遊貫する遊貫部３０と、クランプスプリング２５とクランププレート２４とが嵌合する嵌合部３１、３２とを備える構成とする。【選択図】図５
2014044769.tif 000002
【特許請求の範囲】
【請求項１】
光ディスクが載置されるターンテーブルと、
前記ターンテーブルとによって光ディスクを回転可能に挟持するクランパーと、
前記クランパーの前記ターンテーブルとは反対側の面を前記クランパーに対向する一端付近で押さえる押さえ部材と、
前記押さえ部材が取り付けられるクランププレートと、
前記押さえ部材と前記クランププレートとが遊貫する遊貫部と、
前記押さえ部材と前記クランププレートとが嵌合する嵌合部と、を備えた光ディスク装置。
【請求項２】
前記押さえ部材及び／又は前記クランププレートが弾性体であり、前記押さえ部材と前記クランププレートとが密着するように付勢することを特徴とする請求項１記載の光ディスク装置。
【請求項３】
前記嵌合部を複数備えたことを特徴とする請求項１又は２記載の光ディスク装置。
【請求項４】
前記嵌合部が、前記押さえ部材の長手方向に沿って前記遊貫部の両側にそれぞれ形成されることを特徴とする請求項１〜３の何れかに記載の光ディスク装置。
【請求項５】
前記嵌合部は、前記押さえ部材に形成された凹部と、前記クランププレートに形成された凸部とからなることを特徴とする請求項１〜４の何れかに記載の光ディスク装置。
【請求項６】
前記遊貫部は、前記押さえ部材に形成された貫通孔と、前記クランププレートに形成された屈曲部とからなることを特徴とする請求項１〜５の何れかに記載の光ディスク装置。
【請求項７】
前記屈曲部は、前記貫通孔の前記押さえ部材表面側の一辺に沿って屈曲した第１屈曲部と、前記押さえ部材裏面側の前記一辺に対向する他辺に沿って前記第１屈曲部とは逆向きに屈曲した第２屈曲部とからなることを特徴とする請求項６記載の光ディスク装置。
【請求項８】
前記クランププレートは、前記クランパーの前記ターンテーブルとは反対側の面を横切る板状の部材であることを特徴とする請求項１〜７の何れかに記載の光ディスク装置。
【請求項９】
前記ターンテーブル、前記クランパー、前記押さえ部材及び前記クランププレートを収容するローダーシャーシを備え、
前記クランププレートの両端がそれぞれローダーシャーシに支持されることを特徴とする請求項８記載の光ディスク装置。
【請求項１０】
前記押さえ部材が、前記クランパーの前記ターンテーブルとは反対側の面を前記クランパーに対向する面の一端付近で押さえる板状の弾性体からなるクランプスプリングであることを特徴とする請求項１〜９の何れかに記載の光ディスク装置。
【発明の詳細な説明】
【技術分野】
【０００１】
本発明は、ＢＤ（Blu-ray Disc）、ＤＶＤ（Digital Versatile Disc）等の光ディスクに対して記録／再生を行う光ディスク装置に関する。
【背景技術】
【０００２】
光ディスクを再生したり、光ディスクに記録したりする光ディスク装置には様々な形態が提案されているが、どのような形態であっても通常、モーターの回転軸にターンテーブルが固定されており、ターンテーブルとそれに対向するクランパーで光ディスクを挟持した状態で光ディスクを回転させる構造になっている。
【０００３】
このような構造において、クランパーは光ディスクの形状の個体差に対応できるように、任意の方向に若干移動可能な状態で保持されている。例えば、特許文献１には、クランプ押え板が、半径方向内周部分から半径方向外周部分に放射状に連なる連結部を備え、クランパーをクランプ押え板の半径方向内周部分に弾性変形可能に設けたディスク再生装置が開示されている。
【先行技術文献】
【特許文献】
【０００４】
【特許文献１】特開２００７−１９３８５３号公報
【発明の概要】
【発明が解決しようとする課題】
【０００５】
特許文献１によれば、クランプ押え板はクランプホルダにビスで固定されている。このクランプ押え板のように、クランパーを保持する構成はしっかりと固定する必要があるため、ビス等を用いて固定するのが一般的である。しかしながら、部品点数や工程数を減らして製造コストを削減しようとする観点からは、上記のようなビスを用いてビス締め工程を必要とする構成は避けたい。
【０００６】
本発明は、クランパーを保持する構成において製造コストを削減した光ディスク装置を提供することを目的とする。
【課題を解決するための手段】
【０００７】
上記目的を達成するために本発明の光ディスク装置は、光ディスクが載置されるターンテーブルと、前記ターンテーブルとによって光ディスクを回転可能に挟持するクランパーと、前記クランパーの前記ターンテーブルとは反対側の面を前記クランパーに対向する一端付近で押さえる押さえ部材と、前記押さえ部材が取り付けられるクランププレートと、前記押さえ部材と前記クランププレートとが遊貫する遊貫部と、前記押さえ部材と前記クランププレートとが嵌合する嵌合部と、を備えた構成とする。
【０００８】
この構成によると、クランププレート及び押さえ部材の構成（クランパーを保持する構成）により、押さえ部材を固定するのにビスを用いる必要がないので、部品点数及びビス締め工程を減らすことができる。また、押さえ部材を固定するのにカシメ工程を用いる必要がないので、工程数を減らすことができる。したがって、クランパーを保持する構成において部品点数や工程数を減らすことで製造コストを削減することができる。
【０００９】
上記の光ディスク装置において、前記押さえ部材及び／又は前記クランププレートが弾性体であり、前記押さえ部材と前記クランププレートとが密着するように付勢することが好ましい。この構成によると、押さえ部材をより安定して固定することができる。
【００１０】
また上記の光ディスク装置において、前記嵌合部を複数備えることが好ましい。この構成によると、押さえ部材をより安定して固定することができる。
【００１１】
また上記の光ディスク装置において、前記嵌合部が、前記押さえ部材の長手方向に沿って前記遊貫部の両側にそれぞれ形成されることが好ましい。この構成によると、押さえ部材をより安定して固定することができる。
【００１２】
また上記の光ディスク装置において、前記嵌合部は、前記押さえ部材に形成された凹部と、前記クランププレートに形成された凸部とからなることが好ましい。この構成によると、簡易な構成で嵌合部を形成することができる。
【００１３】
また上記の光ディスク装置において、前記遊貫部は、前記押さえ部材に形成された貫通孔と、前記クランププレートに形成された屈曲部とからなることが好ましい。この構成によると、簡易な構成で遊貫部を形成することができる。
【００１４】
また上記の光ディスク装置において、具体的に、前記屈曲部は、前記貫通孔の前記押さえ部材表面側の一辺に沿って屈曲した第１屈曲部と、前記押さえ部材裏面側の前記一辺に対向する他辺に沿って前記第１屈曲部とは逆向きに屈曲した第２屈曲部とからなるものとすることができる。
【００１５】
また上記の光ディスク装置において、具体的に、前記クランププレートは、前記クランパーの前記ターンテーブルとは反対側の面を横切る板状の部材とすることができる。
【００１６】
また上記の光ディスク装置において、例えば、前記ターンテーブル、前記クランパー、前記押さえ部材及び前記クランププレートを収容するローダーシャーシを備え、前記クランププレートの両端がそれぞれローダーシャーシに支持される構成とすることができる。
【００１７】
また上記の光ディスク装置において、例えば、前記押さえ部材として、前記クランパーの前記ターンテーブルとは反対側の面を前記クランパーに対向する面の一端付近で押さえる板状の弾性体からなるクランプスプリングを用いることができる。
【図面の簡単な説明】
【００１８】
【図１】本発明の一実施形態の光ディスク装置の構成を示すブロック図である。
【図２】光ディスク装置におけるドライブ装置の要部構成の斜視図である。
【図３】図２の平面図である。
【図４】図３のＡ−Ａ線断面図である。
【図５】クランパー周辺の要部構成の斜視図である。
【図６Ａ】クランプスプリングの平面図である。
【図６Ｂ】クランプスプリングの正面図である。
【図６Ｃ】クランプスプリングの右側面図である。
【図７Ａ】クランププレートの平面図である。
【図７Ｂ】クランププレートの正面図である。
【発明を実施するための形態】
【００１９】
以下、光ディスク装置を横置き（水平姿勢）に設置した状態、すなわち光ディスクのレーベル面が上向きで水平に収納、排出される状態を基準に説明する。水平とは鉛直方向に垂直な方向とする。また光ディスクが排出される側を前側とする。また、光ディスクが排出・収納される方向をＹ方向、光ディスクのレーベル面上でＹ方向に直交する方向をＸ方向、Ｘ−Ｙ面に直交する方向をＺ方向と定義する。
【００２０】
図１は、本発明の一実施形態の光ディスク装置の構成を示すブロック図である。光ディスク装置１は、光ディスク１５の情報の再生、及び光ディスク１５への情報の記録を行うことができる。２は、スピンドルモーターであり、光ディスク１５は、このスピンドルモーター２の上部に設けられるチャック部（ターンテーブル及びクランパー）に着脱可能に保持される。そして、光ディスク１５の情報の記録再生を行う際に、スピンドルモーター２は光ディスク１５を連続回転する。スピンドルモーター２の回転制御は、スピンドルモーター制御部３によって行われる。
【００２１】
４は、光ピックアップユニット（ＯＰＵ）であり、光源から出射される光ビームを光ディスク１５に照射し、光ディスク１５への情報の書き込みと、光ディスク１５に記録されている情報の読み取りを可能とする。
【００２２】
信号処理部８は、少なくともＲＦ信号処理部９とトラックエラー信号処理部１０とフォーカスエラー信号処理部１１とを含んでいる。そして、この信号処理部８において、光検出器（不図示）で変換された電気信号に基づいて、ＲＦ信号、トラックエラー信号（ＴＥ信号）、フォーカスエラー信号（ＦＥ信号）を生成する。ＲＦ信号はデータ復調部１２でデータに復調される。
【００２３】
ＴＥ信号及びＦＥ信号は、アクチュエータ制御部７に出力される。アクチュエータ制御部７は、これらの信号に基づいて、対物レンズを移動可能とする図示しないアクチュエータに駆動信号を供給する。駆動信号が供給されたアクチュエータは、信号に基づいて各部を作動させて、対物レンズを光軸と平行な方向に移動して、光ディスク１５の記録面１５ａにフォーカスを追従させるフォーカス制御や対物レンズを光ディスク１５の半径方向と平行な方向に移動して光ビームのスポット位置を光ディスク１５に形成されるトラック位置に追従させるトラッキング制御を行う。
【００２４】
その他、レーザ制御手段５は、光ピックアップ４に備えられる半導体レーザから成る光源（不図示）のレーザ出力を制御する。また、全体制御部１３は、スピンドルモーター制御部３、レーザ制御部５、ビームエキスパンダ制御部６、アクチュエータ制御部７、信号処理部８、及びデータ復調部１２等を制御して、装置全体のコントロールを行う。
【００２５】
図２は光ディスク装置１におけるドライブ装置の要部構成の斜視図、図３は図２の平面図、図４は図３のＡ−Ａ線断面図、図５はクランパー周辺の要部構成の斜視図、図６Ａはクランプスプリングの平面図、図６Ｂはクランプスプリングの正面図、図６Ｃはクランプスプリングの右側面図、図７Ａはクランププレートの平面図、図７Ｂはクランププレートの正面図である。
【００２６】
光ディスク装置１は外観を形成する装置本体の筐体内にドライブ装置２０を収容している。ドライブ装置２０は、ドライブ装置２０の各部材を収容するローダーシャーシ２１と、光ディスク１５を搬送する複数のローラー（不図示）と、光ディスクの搬送方向（前後方向（Ｙ方向））に略垂直な方向（上下方向（Ｚ方向））に旋回して昇降可能なトラバースアッシー２２と、水平方向に移動してトラバースアッシー２２を昇降（上下動）させるカムスライダー（不図示）と、ローラー及びカムスライダーを複数のギヤを介して駆動するモーター（不図示）と、光ディスク１５をレーベル面側からチャッキングするクランパー２３と、クランパー２３の上方を横切るクランププレート２４と、クランププレート２４が取り付けられるクランプスプリング（押さえ部材）２５と、を備えている。
【００２７】
また、トラバースアッシー２２は、トラバースシャーシ２６と、ＯＰＵ（不図示）と、トラバースシャーシ２６に固定され、ＯＰＵを光ディスク１５の径方向（前後方向（Ｙ方向））に移動可能に支持する２本のガイドシャフト（不図示）と、ＯＰＵ駆動用のステッピングモーター（不図示）と、トラバースシャーシ２６に固定された光ディスク１５回転用のスピンドルモーター２と、スピンドルモーター２の回転軸に挿嵌されたターンテーブル２７とを備えている。
【００２８】
クランパー２３は、ローダーシャーシ２１の梁部２１ａに形成された開口部２１ｂを囲むリブ２１ｃに載置され、その上面がクランプスプリング２５によって押さえられることでローダーシャーシ２１に取り付けられている。そして、クランパー２３とターンテーブル２７とによって光ディスク１５が回転可能に挟持される。
【００２９】
クランププレート２４は、クランパー２３のターンテーブル２７とは反対側の面（上面）を横切る板状の部材である。クランププレート２４の長手方向の両端はローダーシャーシ２１の内側壁に形成された溝部２１ｄ、２１ｅに挿嵌されることで支持されている。
【００３０】
また、クランププレート２４は、クランプスプリング２５に遊貫する２つの屈曲部（第１、第２屈曲部２４ａ、２４ｂ）と、クランプスプリング２５に嵌合する２つの円形の凸部２４ｃ、２４ｄとを有している。凸部２４ｃ、２４ｄは、クランププレート２４の上面側に凸となるように形成されるとともに、クランププレート２４の長手方向に沿って屈曲部の両側にそれぞれ１つずつ配設されている。クランププレートが金属製である場合、凸部２４ｃ、２４ｄは、板金加工におけるハーフパンチ又は切り起こし等によって形成できる。
【００３１】
クランプスプリング２５は、板バネなど板状の弾性体からなり、クランパー２３に対向する面の一端付近で、クランパー２３のターンテーブル２７とは反対側の面（上面）を押さえている。クランパー２３の上面の中心が突出しているので、その突出している部分をクランプスプリング２５の先端下面に当接させている。
【００３２】
クランプスプリング２５は、クランププレート２４の第１及び第２屈曲部２４ａ、２４ｂに遊貫する矩形の貫通孔２５ａと、クランププレート２４の凸部２４ｃ、２４ｄに嵌合する２つの凹部２５ｂ、２５ｃを有している。ここでの凹部とは窪み又は貫通穴のどちらでもよく、クランプスプリング２５が金属製である場合、ハーフパンチ又はパンチによって形成できる。また、本実施形態では、一方の凹部２５ｂを長穴とすることで、製造工程や熱膨張・収縮で生じる部材間の寸法誤差に対応している。
【００３３】
ここで、クランプスプリング２５の一端側は斜め下方へ曲がっており、クランパー２３に当接しているクランプスプリング２５の下面がクランパー２３に対して斜めに当接している。これにより、クランプスプリング２５はクランパー２３を斜め下方向に押さえている。そして、クランパー２３が斜め下方向に押さえられることによって、光ディスク１５、ターンテーブル２７及びスピンドルモーター２の回転軸にも斜め下方向の力が加わる。このように、クランプスプリング２５にはクランパー２３の上面をターンテーブル２７側へモーター２の回転軸に対して斜めに押さえる押さえ部材としての役割がある。
【００３４】
また、クランププレート２４がクランパー２３の中心上から若干ずれて配置され、それに伴いクランプスプリング２５の下方へ曲がる起点となる屈曲線２５ｄが、クランププレート２４の長手方向に対して斜めになっている。そのため、クランプスプリング２５とクランププレート２４との接触面積が大きくなり、クランプスプリング２５を固定する強度が増す。
【００３５】
クランプスプリング２５に代表される本発明の押さえ部材としては、クランパーのターンテーブルとは反対側の面をクランパーに対向する一端付近で押さえる部材であればよい。
【００３６】
そして、クランププレート２４とクランプスプリング２５とは、それらの一部からなる遊貫部３０と２箇所の嵌合部３１、３２とで固定されている。遊貫部３０は、クランププレート２４とクランプスプリング２５とが遊貫する部分であり、クランププレート２４の第１及び第２屈曲部２４ａ、２４ｂと、クランプスプリング２５の貫通孔２５ａとからなる。
【００３７】
第１屈曲部２４ａは、貫通孔２５ａのクランププレート表面側（上面側）の一辺２５ｅに沿って屈曲している。一方、第２屈曲部２４ｂは、貫通孔２５ａのクランププレート裏面側（下面側）の一辺２５ｅに対向する他辺に沿って第１屈曲部２４ａとは逆向きに屈曲している。
【００３８】
また、第１屈曲部２４ａの内側と第２屈曲部２４ｂの内側との高低差（Ｚ方向の距離）、すなわち、凸部２４ｄが設けられた面と凸部２４ｃが設けられた面との高低差が、クランプスプリング２５の厚みに等しいかそれよりも若干小さくなっている。したがって、クランプスプリング２５がクランププレート２５に密着することになる。
【００３９】
このような構成の遊貫部３０により、クランプスプリング２５は、クランププレート２４への付勢力で、すなわち遊貫部３０を挟んで互いに反対方向に付勢することでＺ方向に規制される。
【００４０】
一方、嵌合部３１、３２は、クランププレート２４とクランプスプリング２５とが嵌合する部分であり、クランププレート２４の凸部２４ｃ、２４ｄと、クランプスプリング２５の凹部２５ｂ、２５ｃとからなる。嵌合部３１と嵌合部３２はクランププレート２４の長手方向に沿って、遊貫部３０の両側にそれぞれ形成されている。
【００４１】
このような構成の嵌合部３１、３２により、クランプスプリング２５がクランププレート２４に取り付けられた状態で凸部２４ｃ、２４ｄと凹部２５ｂ、２５ｃとがそれぞれ嵌合する。したがって、クランプスプリング２５は、嵌合部３１、３２によってＸ−Ｙ面方向に規制される。
【００４２】
このように、クランプスプリング２５は、遊貫部３０によってＺ方向に規制され、嵌合部３１、３２によってＸ−Ｙ面方向に規制される。したがって、クランプスプリング２５は全方向に対して固定されることになる。
【００４３】
なお、嵌合部３１、３２は何れか１つであってもよいが、クランプスプリング２５を安定して固定する観点からは上記のように複数備えることが好ましい。また、嵌合部は、クランププレートに凹部、クランプスプリングに凸部を設けるような形態であってもよい。
【００４４】
上記のクランププレート２４及びクランプスプリング２５を組み付ける際は、まず、クランププレート２４とクランプスプリング２５を略直角に保持しながらクランププレート２４をクランプスプリング２５の貫通孔２５ａに挿通する。続いて第１及び第２屈曲部２４ａ、２４ｂが貫通孔２５ａに達したらクランププレート２４とクランプスプリング２５を略平行にしながら、凸部２４ｃ、２４ｄと凹部２５ｂ、２５ｃを嵌合させる。そして、クランププレート２４の両端をローダーシャーシ２１の溝部２１ｄ、２１ｅに挿嵌する。
【００４５】
このようなクランププレート２４及びクランプスプリング２５の構成（クランパーを保持する構成）によれば、クランプスプリング２５を固定するのにビスを用いる必要がないので、部品点数及びビス締め工程を減らすことができる。また、クランプスプリング２５を固定するのにカシメ工程を用いる必要がないので、工程数を減らすことができる。したがって、クランパーを保持する構成において部品点数や工程数を減らすことで製造コストを削減することができる。
【００４６】
なお、上記の実施形態ではクランプスプリング２５を弾性体とすることでクランプスプリング２５とクランププレート２４とが密着するように付勢しているが、本発明では押さえ部材及び／又はクランププレートが弾性体であり、押さえ部材とクランププレートとが密着するように付勢する構成であればよい。したがって、押さえ部材が非弾性体でクランププレートが弾性体であってもよい。また、押さえ部材とクランププレートの両方が弾性体であってもよい。なお、ここでいう弾性体とは、遊貫部を挟んで付勢することにより押さえ部材がクランププレートから脱落しない程度の弾性を有していればよい。
【００４７】
次に、トラバースシャーシ２６は、その後端がローダーシャーシ２１に枢支され、係合するカムスライダーの移動によって昇降される。ターンテーブル２７は、光ディスク１５を載置し、クランパー２３とによって光ディスク１５を挟持する部材であり、スピンドルモーター２の回転軸に嵌合することで固定されている。
【００４８】
上記の構成の光ディスク装置において、光ディスク１５が挿入されると、モーターの駆動により光ディスク１５が光ディスク装置１内に搬送されるとともに、カムスライダーが移動してトラバースアッシー２２を上昇させる。これにより、クランパー２３とターンテーブル２７とが係合し、光ディスク１５がチャッキングされる。
【００４９】
光ディスク１５がチャッキングされると、カムスライダーへのモーターの駆動力伝達が解除されてカムスライダー及びトラバースアッシー２２が停止する。続いてステッピングモーターの駆動によりＯＰＵが所定位置に移動し、スピンドルモーター２により回転されている光ディスク１５に対して記録又は再生を行う。また、光ディスクを取り出す際には上記と逆の動作が行われる。
【００５０】
なお、上記の実施形態では、光ディスク装置を横置き（水平姿勢）に設置した状態について説明したが、本発明の光ディスク装置は縦置きに設置することもできる。
【００５１】
また上記の実施形態では、光ディスクを直接的に収納及び排出するディスクローディング機構を有する光ディスク装置を例に説明したが、本発明はクランパーによって光ディスクをチャッキングする光ディスク装置であれば適用できる。例えば、本発明は光ディスクを載置して搬送するトレイを用いて光ディスクを収納及び排出するディスクローディング機構を有する光ディスク装置にも適用できる。
【産業上の利用可能性】
【００５２】
本発明は、ＢＤ、ＤＶＤ、ＣＤ（Compact Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００５３】
１  光ディスク装置
１５  光ディスク
２１  ローダーシャーシ
２３  クランパー
２４  クランププレート
２４ａ  第１屈曲部
２４ｂ  第２屈曲部
２４ｃ、２４ｄ  凸部
２５  クランプスプリング
２５ａ  貫通孔
２５ｂ、２５ｃ  凹部
２７  ターンテーブル
３０  遊貫部
３１、３２  嵌合部
【図１】
2014044769.tif 000003
【図２】
2014044769.tif 000004
【図３】
2014044769.tif 000005
【図４】
2014044769.tif 000006
【図５】
2014044769.tif 000007
【図６Ａ】
2014044769.tif 000008
【図６Ｂ】
2014044769.tif 000009
【図６Ｃ】
2014044769.tif 000010
【図７Ａ】
2014044769.tif 000011
【図７Ｂ】
2014044769.tif 000012